(57)【要約】【課題】使いやすく、洗浄水の汚れを抑止できるモップ洗い器を提供する。【解決手段】架台１と、シンク本体２と、シンク本体２にあってこれとは別に設けた洗浄水槽３と、モップクロスを脱水する脱水機構４と、水道水を供給する給水管５とを備えている。シンク本体２の周壁と、洗浄水槽３との間に脱水空間Ｓを確保し、この脱水空間Ｓに脱水機構４を配置する。以て、洗浄水槽３に水道水を供給しながら、洗浄水槽３においてモップクロスを流水洗浄したのち、脱水機構４でモップクロスを絞り、絞った汚水は脱水空間Ｓから排水口１６に排出する。【選択図】図１
2005279170.tif 000002
【特許請求の範囲】
【請求項１】
床面に設置される架台１と、架台１に支持されるシンク本体２と、シンク本体２内に収容される洗浄水槽３と、洗浄水槽３で洗浄されたモップクロスを脱水する脱水機構４と、洗浄水槽３に洗浄水を供給する給水管５と、シンク本体２内の汚水を排水する排水口１６とを備えており、
シンク本体２の周壁と洗浄水槽３との間に確保される脱水空間Ｓに、脱水機構４を配置して、脱水機構４で絞られてモップクロスより出た水を脱水空間Ｓから前記排水口１６に排出できるようにしたことを特徴とするモップ洗い器。
【請求項２】
脱水機構４が、固定ローラー２８と、可動ローラー２９と、可動ローラー２９を固定ローラー２８に対して接離操作する足踏み式の絞りペダル３３とを含み、
架台１に、給水管５につながる水栓ユニット４６と、水栓ユニット４６を開閉する足踏み式の水栓ペダル４７とが設けられており、
絞りペダル３３および水栓ペダル４７が、架台１の前面下部に集約的に配置されている請求項１記載のモップ洗い器。
【請求項３】
シンク本体２の開口縁に沿ってフランジ壁１４が張り出し形成されており、
洗浄水槽３が、シンク本体２のフランジ壁１４に着脱可能に掛け止め装着されている請求項２記載のモップ洗い器。
【請求項４】
シンク本体２の開口面が、前開口面２Ａと、前開口面２Ａより上方に突出する後開口面２Ｂとで段違い状に形成されており、
前開口面２Ａの側に脱水機構４が配置され、後開口面２Ｂの側に洗浄水槽３が配置されており、
洗浄水槽３の上面および前面上部が開放している請求項１または２記載のモップ洗い器。
【請求項５】
洗浄水槽３が、受水槽２２と、受水槽２２から上向きに突設した掛止体２３とを備えており、受水槽２２の開口高さが、前記前開口面２Ａの高さより低く設定されている請求項４記載のモップ洗い器。
【発明の詳細な説明】
【技術分野】
【０００１】
本発明は、モップクロスを洗浄するための水槽と、洗浄されたモップクロスを絞るための脱水構造とを備えたモップ洗い器、なかでも定位置に設置した状態で使用される据え置き型のモップ洗い器に関する。
【背景技術】
【０００２】
この種のモップ洗い器の基本構造は、例えば特許文献１に公知である。そこではモップクロスを洗浄する水槽に、洗浄したモップクロスを絞る脱水ローラーを設けてある。脱水ローラーは、水槽に固定の固定ローラーと、固定ローラーに対して接離移動できる可動ローラーとを含み、ローラーアームに連結されたペダルを踏み込むことにより、可動ローラーを固定ローラーに接近移動させてモップクロスを絞ることができる。特許文献２においては、操作レバーを前倒し操作することによって、可動ローラーを固定ローラーに接近操作できるようにしてある。
【０００３】
厨房や医療施設、あるいはトイレなどでモップを使用する場合には、清掃場所に設置してある深底の受水槽でモップクロスを洗浄することがあるが、この種の受水槽に装着してモップクロスを脱水するモップ絞り器も公知である（特許文献３参照）。
【０００４】
【特許文献１】特開平８−１９６４９９号公報（段落番号００１５、図１）
【特許文献２】特開２００３−５２６０４号公報（段落番号００４８、図１）
【特許文献２】特開２０００−３３３８９４号公報（段落番号００１１、図１）
【発明の開示】
【発明が解決しようとする課題】
【０００５】
特許文献１、２のモップ洗い器は、清掃場所まで運んで使用できる。しかし、モップクロスから絞られた汚水を水槽内に流すので、洗浄水がすぐに汚れてしまう。洗浄水の汚れがひどくなったら、モップ洗い器を排水場所まで運んで排水したうえで、新たに洗浄水を補給する必要があり、洗浄水の排出および補給に手間を要する。
【０００６】
この点、特許文献３のモップ絞り器は、蛇口と排水管とを備えた既設の受水槽でモップクロスを洗浄するので、止水栓を引き抜くだけで汚れた洗浄水を排水口から排出できるし、給水栓を操作するだけで洗浄水を補充でき、洗浄水の排出および補給の手間を省くことができる。しかし、モップ絞り器が受水層の開口面に装着されているので、受水槽に溜めた洗浄水でモップクロスを洗浄する場合に、モップクロスから絞られた汚水で洗浄水が汚れるのを避けられず、頻繁に洗浄水を排出し補充する必要がある。そのため、例えば洗浄水に消毒剤や殺菌剤を混入してモップクロスを洗浄するような場合に薬剤が無駄になる。止水栓を取り外して常に新規な洗浄水でモップクロスをすすぐことはできるが、いたずらに洗浄水が消費されるだけで無駄が多い。モップ絞り器を受水槽の開口上面に装着するので、ローラー位置が高くなり、モップを抜き上げ操作しにくい点にも不利がある。
【０００７】
本発明の目的は、モップクロスから絞られた汚水で洗浄水が汚れるのを解消でき、したがって、洗浄水の無駄な消費を防止できながらも、洗浄水の排出や補充の手間が省けるモップ洗い器を提供することにある。本発明の目的は、手を使わずにモップクロスを衛生的に洗浄できるモップ洗い器を得るにある。
【０００８】
本発明の目的は、洗浄水や薬剤の無駄な消費を省くことができるモップ洗い器を提供することにある。本発明の目的は、シンク本体の内面を隅々までくまなく清掃でき、したがって常に衛生的で清潔な状態に保持できるモップ洗い器を提供することにある。
【課題を解決するための手段】
【０００９】
本発明のモップ洗い器は、床面に設置される架台１と、架台１に支持されるシンク本体２と、シンク本体２内に収容される洗浄水槽３と、洗浄水槽３で洗浄されたモップクロスを脱水する脱水機構４と、洗浄水槽３に洗浄水を供給する給水管５と、シンク本体２内の汚水を排水する排水口１６とを備えており、シンク本体２の周壁と洗浄水槽２３との間に確保される脱水空間Ｓに、脱水機構４を配置して、脱水機構４で絞られてモップクロスより出た水を脱水空間Ｓから前記排水口１６に排出できるようにしたことを特徴とする。
【００１０】
脱水機構４は、固定ローラー２８と、可動ローラー２９と、可動ローラー２９を固定ローラー２８に対して接離操作する足踏み式の絞りペダル３３とを含み、架台１に、前記給水管５につながる水栓ユニット４６と、水栓ユニット４６を開閉する足踏み式の水栓ペダル４７とが設けられており、絞りペダル３３および水栓ペダル４７が、架台１の前面下部に集約的に配置されている。
【００１１】
シンク本体２には、これの開口縁に沿ってフランジ壁１４が張り出し形成されており、洗浄水槽３がシンク本体２のフランジ壁１４に着脱可能に掛け止め装着できる。
【００１２】
シンク本体２の開口面は、前開口面２Ａと、前開口面２Ａより上方に突出する後開口面２Ｂとで段違い状に形成し、前開口面２Ａの側に脱水機構４を配置し、後開口面２Ｂの側に洗浄水槽３を配置し、洗浄水槽３の上面および前面上部を開放することができる。
【００１３】
洗浄水槽３は、受水槽２２と、受水槽２２から上向きに突設した掛止体２３とを備えており、受水槽２２の開口高さを前記前開口面２Ａの高さより低く設定することができる。
【発明の効果】
【００１４】
本発明では、シンク本体２内に洗浄水槽３を別途設け、洗浄水槽３内でモップクロスを洗浄する。したがって、多くの場合は、給水管５から水道水を洗浄水槽３に供給しながら、モップクロスを流水洗浄できる。また、シンク本体２と洗浄水槽２との間に確保される脱水空間Ｓに脱水機構４を配置して、脱水機構４で絞られてモップクロスから出る汚水は脱水空間Ｓに流し、モップクロスからの絞り水で洗浄水槽３内の洗浄水が汚れるのを防止することができる。したがって、洗浄水に殺菌剤や消毒剤などを混入してモップクロスを洗浄する場合にも、洗浄水や薬剤の無駄な消費も防止できる。給水管５によって洗浄水を補給し、あるいは洗浄水槽３内の汚れた洗浄水をシンク本体２へ排水するだけで、洗浄水を入れ換えることができるので、洗浄水の排出や補充に要する手間を軽減できる。洗浄水槽３とは別に設けた脱水空間Ｓでモップクロスの脱水を行うので、モップクロスに含浸された洗浄水を脱水空間Ｓで振り切った後、脱水機構４で脱水できる。
【００１５】
脱水機構４の可動ローラー２９を接離操作する足踏み式の絞りペダル３３と、給水管５につながる水栓ユニット４６を開閉する足踏み式の水栓ペダル４７とが、架台１の前面下部に集約的に配されていると、絞りペダル３３あるいは水栓ペダル４７を足で踏み込むだけで、モップクロスを脱水したり、洗浄水を給水できる。したがって、使用者は手を使わずにモップクロスの洗浄、ついで脱水をすることができ、衛生的である。更に、使用者は、モップ洗い器のまわりを動き回るなどの無駄な動きをする必要がなく、モップクロスの洗浄を簡便に行える。
【００１６】
洗浄水槽３がシンク本体２のフランジ壁１４に着脱可能に掛け止め装着されるモップ洗い器によれば、洗浄水槽３を取り外すことによってシンク本体２の内面を大きく開放できるので、清掃時にシンク本体２の内面を隅々までくまなく清掃できる。したがって、常に衛生的で清潔な状態を保持できるモップ洗い器が得られる。洗浄水槽３の清掃も容易に行える。
【００１７】
段違い状に形成したシンク本体２の前開口面２Ａと後開口面２Ｂとのうち、前開口面２Ａ側に脱水機構４を配置し、後開口面２Ｂ側に洗浄水槽３を配置したモップ洗い器によれば、使用者から離れた位置に設けた洗浄水槽３でモップクロスを洗浄できるので、洗浄時の洗浄水の飛沫が使用者に降り掛かるのを防止できるし、使用者に近い位置に設けた脱水機構４でモップクロスを脱水できるので、脱水時のモップの取り扱いを簡便に行え、洗浄から脱水に至る一連の作業が楽にしかも無駄なく確実に行える。洗浄水槽３の上面および前面上部が開放していると、洗浄水槽３に貯留した液面の上方空間を全開放できるので、モップクロスを洗浄する際に洗浄水槽３の前壁が邪魔にならず、モップクロスを楽な姿勢で簡便に洗浄できる。汚れの落ち具合を目視しながら確実に洗浄できる利点もある。
【００１８】
洗浄水槽３が受水槽２２と掛止体２３とを含み、受水槽２２の開口高さがシンク本体２の前開口面２Ａの高さより低く設定されていると、モップクロスを洗浄するときの飛散水滴はシンク本体２の周壁で受け止めて、シンク本体２まわりの床面が飛散水滴で汚れるのを確実に防止できる。
【発明を実施するための最良の形態】
【００１９】
図１ないし図７は本発明に係るモップ洗い器の実施例を示す。図１においてモップ洗い器は、据置き設置される架台１と、架台１で支持されるシンク本体２と、シンク本体２内に収容されて洗浄水を貯留する洗浄水槽３と、洗浄水槽３で洗浄されたモップクロスを脱水する脱水機構４と、洗浄水槽３に水道水（洗浄水）を供給する給水管５と、シンク本体２内の汚水を排水する排水管６とを備えている。
【００２０】
図６において架台１は、４隅に立設される支柱８と、各支柱８どうしを固定する桟材９などで平面から見て四角枠状に構成してあり、その左右側面および前面のそれぞれに化粧板１０を固定してある。図１においては、内部構造を明確化するために、架台側面に設けられる化粧板１０を一部省略してある。各支柱８の下端には、それぞれ高さ調整可能な脚座１１をねじ込み装着してある。
【００２１】
シンク本体２は、深絞り加工されたステンレス製のプレス成形品からなり、図３に示すように、その上開口面の左右縁および前縁に沿ってフランジ壁１４と、側壁１５とが形成され、後壁の上端に背棚１３が形成されている。背棚１３の上面一側には逆Ｊ字状の給水管５を装着する。給水管５は、背棚１３側の基端部を中心にして水平方向へ回動変位して放水位置を変更できる。
【００２２】
シンク本体２の開口面は、前開口面２Ａと、前開口面２Ａより上方に突出する後開口面２Ｂとで段違い状に形成してあり、前開口面２Ａの側に脱水機構４を組み込み、後開口面２Ｂの側に洗浄水槽３を装着する。シンク本体２の底壁には、後ろ寄り中央に排水口１６を開口してあり、排水口１６と先の排水管６とはトラップ１７を介して接続してある。シンク本体２の前壁内面には左右一対のローラーブラケット１８を固定してある（図２参照）。
【００２３】
フランジ壁１４および側壁１５が架台１の上部に外嵌する状態でシンク本体２を組み付け、化粧板１０の外面からシンク本体２の外面に設けた締結片にビスをねじ込むことにより、シンク本体２を架台１に固定できる。この装着状態において、シンク本体２の前および左右壁と、各化粧板１０との間に隙間が形成される。この隙間に、後述する操作機構を組み込む。
【００２４】
洗浄水槽３は、ステンレス板材製の左右に長い角箱状の受水槽２２と、受水槽２２の左右壁を上方に延長して形成した掛止壁（掛止体）２３とを備えている。受水槽２２の底壁中央には、３個の直径の小さな排水穴２４を開口してある（図２参照）。これらの排水穴２４は、洗浄水槽３をシンク本体２内に収容した状態において、シンク本体２の排水口１６のほぼ真上に位置する。掛止壁２３の上端には外向きに折り曲がる載置座２５を形成してあり、その上面にコ字状のハンドル２６を固定してある。このように、受水槽２２と左右一対の掛止壁２３とで洗浄水槽３が構成されていると、洗浄水槽３の上面および前面上部を開口できる。つまり、受水層２２に貯留可能な液面の上方を開放して、モップクロスを楽な姿勢で簡便に洗浄できる。洗浄時にモップの柄が受水層２２の前壁に接触することもない。
【００２５】
洗浄水槽３をシンク本体２内に収容して、その載置座２５を後開口面２Ｂのフランジ壁１４に掛け止め装着することにより、洗浄水槽３がシンク本体２で支持される。この装着状態において、シンク本体２の前壁と洗浄水槽３との間には脱水空間Ｓが形成され、洗浄水槽３の底壁３ｃとシンク本体２の底壁との間に隙間が形成されている。受水層２２の開口高さ、つまり受水層２２の前後壁の上端高さは、前開口面２Ａより低い位置にある。モップクロスの洗浄時に跳ね飛ぶ水滴がシンク本体２の外へ飛散するのを防止するためである。
【００２６】
前記脱水空間Ｓに配した脱水機構４でモップクロスの脱水を行う。図２ないし図５において、そのための脱水機構４は、前記ローラーブラケット１８に回転自在に軸支される固定ローラー２８と、固定ローラー２８に向かって前後に接離移動する可動ローラー２９と、可動ローラー２９用の操作機構とを含む。固定ローラー２８および可動ローラー２９は、プラスチック成形品からなるローラー本体と、その軸心に挿通されるローラー軸とで構成してある。ローラー本体の周面には、軸心方向と平行な溝を一定間隔置きに形成してある。
【００２７】
操作機構は、下端が軸３０で軸支されて前後揺動できる左右一対の揺動アーム３１と、後端が揺動アーム３１に相対回動可能に連結してあるリンクアーム３２と、リンクアーム３２の前部に固定される足踏み式の絞りペダル３３と、揺動アーム３１と桟材９との間に配置されて、揺動アーム３１を後ろ向きに引っ張り付勢する引張コイル形のばね３４などで構成する。図３において揺動アーム３１、リンクアーム３２、絞りペダル３３、ばね３４などは、シンク本体２と化粧板１０との間の隙間に配置してある。
【００２８】
図１および図４において左右の揺動アーム３１は、それぞれく字状に形成される第１アーム３７と、第１アーム３７の上端に連続して逆Ｌ字状に折り曲げられる第２アーム３８（図３参照）とを備えており、シンク本体２の内面に位置する第２アーム３８の下端に可動ローラー２９が回転自在に支持されている。第１アーム３７は、第１開口面２Ａに臨むフランジ壁１４に通設したガイド溝３９で移行案内され、その上部のみがガイド溝３９を介して外面に突出する。第１アーム３７の下部を軸支する軸３０は、桟材９に固定してある。図４においてリンクアーム３２は、左右一対の側腕と、側腕の前端どうしをつなぐ前腕とでコ字状に形成してあり、前腕の左右中央に絞りペダル３３を固定し、側腕の後端が揺動アーム３１に相対回動自在に連結してある。
【００２９】
図１において絞りペダル３３は、側面から見て鉤形に折り曲げられるペダル枠４０と、ペダル枠４０の下端に固定される扇形のペダルブロック４１とからなる。ペダル枠４０の下端後面にはスライド片４２を固定してあり、このスライド片４２を垂直のガイド棒４３で上下スライド自在に案内支持することにより、ペダル枠４０が前後あるいは左右にふらつくのを規制できる。ガイド棒４３は下側の桟材９に固定したブラケット４４で支持する。揺動アーム３１がばね３４で後ろ向きに引っ張られているので、ペダル枠４０は常にシンク本体２の前壁に接しており、そのことも絞りペダル３３の前後方向のふらつきを規制することに役立っている。
【００３０】
作業者が足で待機状態（図１、図４に示す状態）のペダルブロック４１を踏み込むと、ペダル枠４０が下降してリンクアーム３２が同行傾動する。リンクアーム３２の下降傾動に伴って、図５に示すように揺動アーム３１がばね３４の弾性に抗して前向きに揺動し、その第２アーム３８に装着した可動ローラー２９が固定ローラー２８に接近し、両ローラー２８・２９でモップクロスを絞って洗浄水を脱水できる。踏み込み力を開放すると、揺動アーム３１がばね３４で復帰操作され、絞りペダル３３は待機位置へ上昇移動する。
【００３１】
図１および図６において架台１の一側下部には、水栓ユニット４６と、水栓ユニット４６を開閉する足踏み式の水栓ペダル４７とが配置してある。市販品からなる水栓ユニット４６は、架台１に設けた台板４８に装着固定してあり、その入り口が管路を介して水道管に接続され、出口が管路を介して給水管５に接続されている。水栓ペダル４７は水栓ユニット４６に支持されて、軸４９を中心にして下方揺動でき、水栓ペダル４７の踏み込み力を開放すると、図１に示す待機状態へ自動的に復帰できる。使用者の無駄な動きを省くために、水栓ペダル４７と、絞りペダル３３のべダルブロック４１とは、それぞれ架台１の前面下部に臨むよう集約的に配置してある。絞りペダル３３をべダルブロック４１よりも高い位置に設けたのは、一定量の踏み込みストロークを確保するためである。
【００３２】
以上のように構成したモップ洗い器は、モップクロスを洗浄水槽３の受水層２２に収容した状態で、作業者の片足で水栓ペダル４７を踏み込んで給水管５から水道水を供給しながらモップクロスの洗浄を行う。このとき、水栓ペダル４７を踏み込んでいる間中、給水管５からは水道水が出続けているので、受水層２２内においてモップクロスを流水洗浄できる。洗浄と同時に塵埃を含む洗浄水は、排水穴２４から排出できるので、モップクロスを効果的かつ衛生的に洗浄できる。
【００３３】
必要に応じて、３個の排水穴２４のうち、１個または２個の排水穴２４を図外の栓体で塞いで、受水層２２から流下する水量を抑止した状態でモップクロスを洗浄してもよい。受水層２２に洗浄水を溜めて洗浄する場合や、消毒剤や殺菌剤が混入された洗浄水で洗浄する場合には、全ての排水穴２４を栓体でいったん塞ぐことにより、洗浄水や薬剤が無駄に排出されるのを防止できる。
【００３４】
洗浄後のモップクロスは受水層２２から取り出して、図７に示すようにそのモップ紐の基端側を固定ローラー２８の周面にあてがったうえで、作業者の片足でペダルブロック４１を踏み込み、可動ローラー２９を固定ローラー２８側へ移動させて、両ローラー２８・２９でモップクロスの前後面を挟持する。その状態のままでモップ全体を上向きに抜き上げることにより、モップクロスに含浸されていた洗浄水を絞り出すことができる。このとき、絞りペダル３３の踏み込み力を加減することにより、モップの抜き上げ抵抗を大小に変更できる。
【００３５】
モップクロスから絞られた汚水は、脱水空間Ｓに流れてシンク本体２の排水口１６から排出されて行く。したがって、洗浄水槽３の受水層２２に洗浄水が貯留してあっても、絞られた汚水が洗浄水に混入することはなく、受水層２２内の洗浄水が汚水で汚れるのを防止できる。因みに、モップクロスを構成する撚り紐状のモップ紐には塵埃がからまっていて、洗浄した後でもモップ紐に汚れた水が含浸されていることが多く、上記のように脱水して始めて汚水をモップ紐から絞り出すことができる。
【００３６】
シンク本体２の前側に脱水機構４を配置し、その後ろ側に洗浄水槽３を配置してあるので、モップクロスを洗浄するときの洗浄水の飛沫が使用者にかかるのを防止できる。脱水時には、使用者に近い位置でモップクロスを抜き上げ操作できるので、洗浄から脱水に至る一連の作業が楽にしかも無駄なく確実に行える。
【００３７】
必要時には、左右のハンドル２６をつかんで洗浄水槽３をシンク本体２から取り外すことにより、シンク本体２の内面を開放して隅々まで清掃すればよい。このとき、排水口１６を図外の止水栓で塞いでおくと、シンク本体２に水を溜めた状態で水洗いでき、水を無駄に消費することがない。
【００３８】
上記の実施例では、前開口面２Ａと後開口面２Ｂとを段違い状に形成したが、前開口面２Ａと後開口面２Ｂとは面一状に形成されていてもよい。シンク本体２を左右横長に形成して、その一方に洗浄水槽３を配置して、洗浄水槽３に隣接する脱水空間Ｓに脱水機構４を配置することができ、その場合の固定ローラー２８は、シンク本体２の長辺部と平行に配置すると良い。シンク本体２および受水層２２は、平面から見て四角形である必要はなく、円形、楕円形、卵形、多角形状など任意の形状に設定できる。
【００３９】
実施例で説明した受水層２２の前壁を脱水空間Ｓ側へ傾斜させて、モップの柄が受水層２２の前壁に当るのを防止できるようにしてもよい。棒材や板材で掛止体２３を形成して、その下端を受水層２２に固定して洗浄水槽３にしてもよい。洗浄水槽３は、シンク本体２の周壁内面に形成した段部や、周壁内面に固定した桟材などに載置できる。脱水機構４は、一対のローラーを絞り要素とする以外に、固定板と、固定板に対して接離操作される可動板を絞り要素とする構造でもよい。受水層２２には排水穴２４を１個だけ設けて、排水穴２４に止水栓を着脱する仕様にすることもできる。
【図面の簡単な説明】
【００４０】
【図１】モップ洗い器を示す縦断側面図
【図２】モップ洗い器の平面図
【図３】脱水機構を示す縦断正面図
【図４】脱水機構の側面図
【図５】可動ローラーが絞り位置にある状態の脱水機構の縦断側面図
【図６】架台の横断平面図
【図７】モップ洗い器の使用状態を示す側面図
【符号の説明】
【００４１】
１  架台
２  シンク本体
２Ａ  前開口面
２Ｂ  後開口面
３  洗浄水槽
４  脱水機構
５  給水管
１４  フランジ壁
１６  排水口
２２  受水槽
２３  掛止体
２８  固定ローラー
２９  可動ローラー
３３  絞りペダル
４６  水栓ユニット
４７  水栓ペダル
Ｓ  脱水空間
【図１】
2005279170.tif 000003
【図２】
2005279170.tif 000004
【図３】
2005279170.tif 000005
【図４】
2005279170.tif 000006
【図５】
2005279170.tif 000007
【図６】
2005279170.tif 000008
【図７】
2005279170.tif 000009